(57)【要約】      （修正有）【課題】自身が飲用する瓶体の識別でき、他人による誤った飲用を防止し、安全で衛生的な飲用を達成する識別構造付き瓶を提供する。【解決手段】飲料の出し入れに供されて蓋で閉じられる瓶口と、瓶口下方に接続され周囲に複数の認識部が設けられ、該認識部は押圧に供される凸塊とされ、該凸塊上に任意の形式の認識可能なパターンが設けられた瓶頸と、瓶頸下方に接続され、ソーダ、果汁、水等の飲料を装填する瓶本体部と、を包含する。【選択図】図１
0003163059.tif 000002
【実用新案登録請求の範囲】
【請求項１】
身分を認識できる瓶において、
飲料の出し入れに供される瓶口と、
該瓶口下方に接続され周囲に押圧に供される複数の認識部が設けられた瓶頸と、
該瓶頸下方に接続された瓶本体部と、
を包含したことを特徴とする、身分を認識できる瓶。
【請求項２】
請求項１記載の身分を認識できる瓶において、該瓶頸の認識部は押圧に供される凸塊とされることを特徴とする、身分を認識できる瓶。
【請求項３】
請求項２記載の身分を認識できる瓶において、該凸塊上に認識に供される数字、文字、符号、パターン、幾何図形が設けられたことを特徴とする、身分を認識できる瓶。
【請求項４】
請求項３記載の身分を認識できる瓶において、該凸塊上の数字、文字、符号、パターン、幾何図形は、突起させる方式、凹ませる方式、印刷する方式のいずれかを選択して実行することを特徴とする、身分を認識できる瓶。
【請求項５】
身分を認識できる瓶において、
飲料の出し入れに供される瓶口と、
該瓶口下方に接続された瓶頸と、
該瓶頸下方に接続され周囲に押圧に供される複数の認識部が設けられた瓶本体部と、
を包含したことを特徴とする、身分を認識できる瓶。
【請求項６】
請求項５記載の身分を認識できる瓶において、該凸塊上に認識に供されるパターンが設けられたことを特徴とする、身分を認識できる瓶。
【請求項７】
請求項６記載の身分を認識できる瓶において、該凸塊上に認識に供される幾何図形が設けられたことを特徴とする、身分を認識できる瓶。
【請求項８】
請求項７記載の身分を認識できる瓶において、該凸塊上の数字、文字、符号、パターン、幾何図形は、突起させる方式、凹ませる方式、印刷する方式のいずれかを選択して実行することを特徴とする、身分を認識できる瓶。
【考案の詳細な説明】
【技術分野】
【０００１】
本考案は使用者に簡単に自分が前に飲用した飲料瓶を認識させることができる、身分を認識できる瓶に関する。
【背景技術】
【０００２】
図９を参照されたい。一般に周知の飲料瓶５のほとんどは、生産が容易な定型を有し、軽量で可塑性と耐衝撃性の特性を有し、飲料が装填される。該飲料瓶５は一般にはプラスチックのリサイクル材料をブロー成形して形成され、一般にペットボトルと称される。この飲料瓶５は、飲料の出し入れと蓋によるシールに供される瓶口５１と、該瓶口５１の下方に接続された瓶頸５２と、該瓶頸５２の下方に接続される瓶本体部５３とを包含する。これにより該瓶５中に飲料を装填でき、使用者がそれから飲用する容器とされる。
【考案の概要】
【考案が解決しようとする課題】
【０００３】
しかし、一般にグループ活動に従事する時、飲料は主催者側がまとめて箱で購入し、さらに参加者に配る。しかし、飲料瓶は外観上同じであり、並びに十分に区別できる標識がなく、ゆえに、飲み終えていない飲料瓶は、ずっと手から離さないでいるほかに、他人のものと区別する方法がない。他人の瓶と一緒に放置された後に区別がつかなくなった時は、使用者は他人の飲料を誤飲するのを避け、安全面でも考慮して、ほとんどは新しい飲料瓶を開ける。このため飲み終えていない飲料を無駄にし、環境保護に符合しない状況を生じる。ゆえにこのような従来の技術の問題に対して、本考案は解決を図るものである。
【課題を解決するための手段】
【０００４】
本考案者は従来の技術の問題を鑑み、長期の飲料瓶に対する研究と一貫した構想に基づき、身分を認識できる瓶を創作した。それは、飲料の出し入れに供されて蓋で閉じられる瓶口と、瓶口下方に接続され周囲に複数の認識部が設けられ、該認識部は押圧に供される凸塊とされ、該凸塊上に任意の形式の認識可能なパターンが設けられた瓶頸と、瓶頸下方に接続され、ソーダ、果汁、水等の飲料を装填する瓶本体部と、を包含する。
【考案の効果】
【０００５】
本考案は周知の技術に対し、以下のような作用効果を達成することができる。
１．本考案の身分を認識できる瓶は、使用者が好みに応じて自分で瓶頸に設けられた認識部を押圧して、任意形式のパターンを具えた凸塊を凹ませて暗号状態を現出させることで、自身の飲料を確認する機能を具備する。
２．本考案の身分を認識できる瓶は、他人の飲料の誤飲を防止し、個人の衛生上の安全習慣に符合し、伝染病の感染を防止する。
３．本考案の身分を認識できる瓶は、使用者が瓶中の飲料を安全上の心配がなく、飲みきってから、新しい瓶を開けるため、資源を大切にし不必要な浪費を避けることができる。
【図面の簡単な説明】
【０００６】
【図１】本考案の身分を認識できる瓶の外観立体図である。
【図２】本考案の身分を認識できる瓶の平面図である。
【図３】本考案の認識部の突起数字の断面図である。
【図４】本考案の認識部の凹み数字の断面図である。
【図５】本考案の認識部の印刷数字の断面図である。
【図６】本考案の身分を認識できる瓶の瓶口、瓶頸の局部表示図である。
【図７】本考案の身分を認識できる瓶の瓶口、瓶頸の断面図である。
【図８】本考案の身分を認識できる瓶の別の実施例の外観立体図である。
【図９】周知の瓶の外観立体図である。
【考案を実施するための形態】
【０００７】
図１を参照されたい。本考案の身分を認識できる瓶１は、
飲料の出し入れに供されて蓋２１で閉じられる瓶口２と、
瓶頸３であって、瓶口２下方に接続され、瓶１成形時に直接型で瓶頸３周囲に複数の認識部３１が設けられ、該認識部３１は押圧に供される凸塊とされ、該凸塊上に任意の形式の、例えば数字３２、３２'、３２"（例えば、図３、図４、図５が示したように、字体は突起でも良い、凹み或いは印刷字体でも良い）、文字、符号、パターン、幾何図形等の認識可能なパターンが設けられた瓶頸３と、
該瓶頸３下方に接続され、ソーダ、果汁、水等の飲料を装填する瓶本体部４と、を包含する。
【０００８】
図１から図７を参照されたい。本考案の身分を認識できる瓶は使用時に、使用者が自分で瓶頸３の認識部３１を選び、並びに下向きに認識部３１を押圧して変形させることで一組の暗号を形成し、これにより自身の飲料瓶を確認できるようにする機能を達成し、且つ個人衛生安全習慣に符合させ、伝染性疾病の感染と貴重な資源の浪費を防止する目的を達成する。
【０００９】
また図８は本考案の別の身分を認識できる瓶の実施例を示す。該瓶１を成形する時、直接型で瓶本体部４の周囲に複数の認識部４１が形成され、該認識部４１は押圧に供される凸塊とされ、該凸塊上には任意の形式の、数字、文字、符号、パターン、幾何図形などの、認識可能なパターンが設けられる。
【００１０】
総合すると、本考案の身分を認識できる瓶は、瓶頸或いは瓶本体部に設けられた認識部を押圧することで、使用者が自身の飲用する瓶を確認でき、これにより他人の飲料を誤飲するのを防止し、安全で衛生的な飲料消費を達成し、且つその構成はその出願前日本国内又は外国において頒布された刊行物に記載されておらず、また公開使用されておらず、実用新案登録の要件を具備する。
【００１１】
なお、以上の具体的実施例に運用されている技術原理に基づき、本考案の構想によりなし得る変更は、その発生する作用効果が本考案の明細書及び図面の記載がカバーする精神より逸脱しない時、いずれも本発明の範囲内に属する。
【符号の説明】
【００１２】
１  瓶                          ２  瓶口
２１  蓋                        ３  瓶頸
３１  認識部                    ３２    突起数字
３２'  凹み数字                      ３２"    印刷数字
４  瓶本体部                          ４１  認識部
５  瓶                          ５１  瓶口
５２  瓶頸                      ５３  瓶本体部
【図１】
0003163059.tif 000003
【図２】
0003163059.tif 000004
【図３】
0003163059.tif 000005
【図４】
0003163059.tif 000006
【図５】
0003163059.tif 000007
【図６】
0003163059.tif 000008
【図７】
0003163059.tif 000009
【図８】
0003163059.tif 000010
【図９】
0003163059.tif 000011
【手続補正書】
【提出日】平成22年7月26日(2010.7.26)
【手続補正１】
【補正対象書類名】明細書
【補正対象項目名】全文
【補正方法】変更
【補正の内容】
【考案の詳細な説明】
【技術分野】
【０００１】
本考案は使用者に簡単に自分が前に飲用した飲料瓶を識別させることができる、識別構造付き瓶に関する。
【背景技術】
【０００２】
図９を参照されたい。一般に周知の飲料瓶５のほとんどは、生産が容易な定型を有し、軽量で可塑性と耐衝撃性の特性を有し、飲料が装填される。該飲料瓶５は一般にはプラスチックのリサイクル材料をブロー成形して形成され、一般にペットボトルと称される。この飲料瓶５は、飲料の出し入れと蓋によるシールに供される瓶口５１と、該瓶口５１の下方に接続された瓶頸５２と、該瓶頸５２の下方に接続される瓶本体部５３とを包含する。これにより該瓶５中に飲料を装填でき、使用者がそれから飲用する容器とされる。
【考案の概要】
【考案が解決しようとする課題】
【０００３】
しかし、一般にグループ活動に従事する時、飲料は主催者側がまとめて箱で購入し、さらに参加者に配る。しかし、飲料瓶は外観上同じであり、並びに十分に区別できる標識がなく、ゆえに、飲み終えていない飲料瓶は、ずっと手から離さないでいるほかに、他人のものと区別する方法がない。他人の瓶と一緒に放置された後に区別がつかなくなった時は、使用者は他人の飲料を誤飲するのを避け、安全面でも考慮して、ほとんどは新しい飲料瓶を開ける。このため飲み終えていない飲料を無駄にし、環境保護に符合しない状況を生じる。ゆえにこのような従来の技術の問題に対して、本考案は解決を図るものである。
【課題を解決するための手段】
【０００４】
本考案者は従来の技術の問題を鑑み、長期の飲料瓶に対する研究と一貫した構想に基づき、識別構造付き瓶を創作した。それは、飲料の出し入れに供されて蓋で閉じられる瓶口と、瓶口下方に接続され周囲に複数の識別部が設けられ、該識別部は使用者の押圧により凹む凸塊とされ、該凸塊上に任意の形式の識別可能なパターンが設けられた瓶頸と、瓶頸下方に接続され、ソーダ、果汁、水等の飲料を装填する瓶本体部と、を包含する。
【考案の効果】
【０００５】
本考案は周知の技術に対し、以下のような作用効果を達成することができる。
１．本考案の識別構造付き瓶は、使用者が好みに応じて自分で瓶頸に設けられた識別部を押圧して、任意形式のパターンを具えた凸塊を凹ませて暗号状態を現出させることで、自身の飲料を識別できるようにする機能を具備する。
２．本考案の識別構造付き瓶は、他人の飲料の誤飲を防止し、個人の衛生上の安全習慣に符合し、伝染病の感染を防止する。
３．本考案の識別構造付き瓶は、使用者が瓶中の飲料を安全上の心配がなく、飲みきってから、新しい瓶を開けるため、資源を大切にし不必要な浪費を避けることができる。
【図面の簡単な説明】
【０００６】
【図１】本考案の識別構造付き瓶の外観立体図である。
【図２】本考案の識別構造付き瓶の平面図である。
【図３】本考案の識別部の突起数字の断面図である。
【図４】本考案の識別部の凹み数字の断面図である。
【図５】本考案の識別部の印刷数字の断面図である。
【図６】本考案の識別構造付き瓶の瓶口、瓶頸の局部表示図である。
【図７】本考案の識別構造付き瓶の瓶口、瓶頸の断面図である。
【図８】本考案の識別構造付き瓶の別の実施例の外観立体図である。
【図９】周知の瓶の外観立体図である。
【考案を実施するための形態】
【０００７】
図１を参照されたい。本考案の識別構造付き瓶１は、
飲料の出し入れに供されて蓋２１で閉じられる瓶口２と、
瓶頸３であって、瓶口２下方に接続され、瓶１成形時に直接型で瓶頸３周囲に複数の識別部３１が設けられ、該識別部３１は押圧に供される凸塊とされ、該凸塊上に任意の形式の、例えば数字３２、３２' 、３２" （例えば、図３、図４、図５が示したように、字体は突起でも良い、凹み或いは印刷字体でも良い）、文字、符号、パターン、幾何図形等の識別可能なパターンが設けられた瓶頸３と、
該瓶頸３下方に接続され、ソーダ、果汁、水等の飲料を装填する瓶本体部４と、を包含する。
【０００８】
図１から図７を参照されたい。本考案の識別構造付き瓶は使用時に、使用者が自分で瓶頸３の識別部３１を選び、並びに下向きに識別部３１を押圧して変形させることで一組の暗号を形成し、これにより自身の飲料瓶を確認できるようにする機能を達成し、且つ個人衛生安全習慣に符合させ、伝染性疾病の感染と貴重な資源の浪費を防止する目的を達成する。
【０００９】
また図８は本考案の別の識別構造付き瓶の実施例を示す。該瓶１を成形する時、直接型で瓶本体部４の周囲に複数の識別部４１が形成され、該識別部４１は押圧に供される凸塊とされ、該凸塊上には任意の形式の、数字、文字、符号、パターン、幾何図形などの、識別可能なパターンが設けられる。
【００１０】
総合すると、本考案の識別構造付き瓶は、瓶頸或いは瓶本体部に設けられた識別部を押圧することで、使用者が自身の飲用する瓶を確認でき、これにより他人の飲料を誤飲するのを防止し、安全で衛生的な飲料消費を達成し、且つその構成はその出願前日本国内又は外国において頒布された刊行物に記載されておらず、また公開使用されておらず、実用新案登録の要件を具備する。
【００１１】
なお、以上の具体的実施例に運用されている技術原理に基づき、本考案の構想によりなし得る変更は、その発生する作用効果が本考案の明細書及び図面の記載がカバーする精神より逸脱しない時、いずれも本発明の範囲内に属する。
【符号の説明】
【００１２】
１  瓶                          ２  瓶口
２１  蓋                        ３  瓶頸
３１  識別部                    ３２    突起数字
３２'   凹み数字                ３２"     印刷数字
４  瓶本体部                    ４１  識別部
５  瓶                          ５１  瓶口
５２  瓶頸                      ５３  瓶本体部
【手続補正２】
【補正対象書類名】実用新案登録請求の範囲
【補正対象項目名】全文
【補正方法】変更
【補正の内容】
【実用新案登録請求の範囲】
【請求項１】
識別構造付き瓶において、
飲料の出し入れに供される瓶口と、
該瓶口下方に接続され周囲に押圧により凹む識別部が設けられた瓶頸と、
該瓶頸下方に接続された瓶本体部と、
を包含したことを特徴とする、識別構造付き瓶。
【請求項２】
請求項１記載の識別構造付き瓶において、該識別部が複数の凸塊とされたことを特徴とする、識別構造付き瓶。
【請求項３】
請求項２記載の識別構造付き瓶において、該凸塊上に数字、文字、符号、パターン、幾何図形のいずれかが設けられたことを特徴とする、識別構造付き瓶。
【請求項４】
請求項３記載の識別構造付き瓶において、該凸塊上の数字、文字、符号、パターン、幾何図形は、突起形態、凹設形態、印刷形態のいずれかとされたことを特徴とする、識別構造付き瓶。
【請求項５】
識別構造付き瓶において、
飲料の出し入れに供される瓶口と、
該瓶口下方に接続された瓶頸と、
該瓶頸下方に接続され周囲に押圧により凹む識別部が設けられた瓶本体部と、
を包含したことを特徴とする、識別構造付き瓶。
【請求項６】
請求項５記載の識別構造付き瓶において、該識別部が複数の凸塊とされたことを特徴とする、識別構造付き瓶。
【請求項７】
請求項６記載の識別構造付き瓶において、該凸塊上に数字、文字、符号、パターン、幾何図形のいずれかが設けられたことを特徴とする、識別構造付き瓶。
【請求項８】
請求項７記載の識別構造付き瓶において、該凸塊上の数字、文字、符号、パターン、幾何図形は、突起形態、凹設形態、印刷形態のいずれかとされたことを特徴とする、識別構造付き瓶。